【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
動画像を構成する時間軸上で連続した複数の静止画像を接合することにより接合画像を作成する画像接合装置であって、
対象の静止画像を取得する画像取得部と、
前記対象の静止画像と、該対象の静止画像よりも時間的に前に撮像された第１の静止画像との間の動きベクトルを導出する動きベクトル導出部と、
前記対象の静止画像と前記動きベクトルとを対応付けて記録する動きベクトル記録部と、
前記対象の静止画像が接合されるべき部分の少なくとも一部分に、前記第１の静止画像よりも時間的に前に撮像された第２の静止画像が存在するか否かを確認する過去画像確認部と、
前記対象の静止画像に対応付けられた動きベクトルと、前記第２の静止画像に対応付けられた動きベクトルとのなす角度を算出する角度算出部と、
前記過去画像確認部により前記第２の静止画像が前記一部分に存在することが確認された場合において、前記角度算出部により算出された角度が所定の角度以上であったとき、前記対象の静止画像の接合を停止する停止処理部と、
前記過去画像確認部により前記第２の静止画像が前記一部分に存在しないことが確認された場合、または、前記角度算出部により算出された角度が所定の角度未満であった場合に、前記対象の静止画像の接合を行う接合処理部と
を備える画像接合装置。
【請求項２】
動画像を構成する時間軸上で連続した複数の静止画像を接合することにより接合画像を作成する画像接合装置であって、
前記複数の静止画像を取得する画像取得部と、
前記画像取得部が取得した複数の静止画像において、対象の静止画像と、該対象の静止画像よりも時間的に前に撮像された第１の静止画像との間の動きベクトルを導出する動きベクトル導出部と、
前記対象の静止画像の前記動画像内での時刻を記録する時刻記録部と、
前記対象の静止画像が接合されるべき部分の少なくとも一部分に、前記第１の静止画像よりも時間的に前に撮像された第２の静止画像が存在するか否かを確認する過去画像確認部と、
前記第２の静止画像の前記動画像内での時刻と、前記対象の静止画像の前記動画像内での時刻との間の時間差を算出する時間算出部と、
前記過去画像確認部により前記第２の静止画像が前記一部分に存在することが確認された場合において、前記時間算出部により算出された時間差が所定の時間差以上であったとき、前記対象の静止画像の接合を停止する停止処理部と、
前記過去画像確認部により前記第２の静止画像が前記一部分に存在しないことが確認された場合、または、前記時間算出部により算出された時間差が所定の時間未満であった場合に、前記対象の静止画像の接合を行う接合処理部と
を備える画像接合装置。
【請求項３】
前記画像接合装置は、
前記停止処理部により前記対象の静止画像の接合が停止された場合、前記対象の静止画像より後に撮像された静止画像を、新たな対象の静止画像として接合処理を継続することを特徴とする請求項１または２に記載の画像接合装置。
【請求項４】
前記画像接合装置は、
前記停止処理部により前記対象の静止画像の接合が停止された場合、前記第１の静止画像を最終画像として接合画像を作成することを特徴とする請求項１または２に記載の画像接合装置。
【請求項５】
前記画像接合装置は、
前記停止処理部により前記対象の静止画像の接合が停止された場合、前記第１の静止画像を最終画像として第１の接合画像を作成し、前記対象の静止画像より後に撮像された静止画像を、新たな対象の静止画像として接合処理を継続することを特徴とする請求項１または２に記載の画像接合装置。
【請求項６】
動画像を構成する時間軸上で連続した複数の静止画像を接合することにより接合画像を作成する画像接合方法であって、
対象の静止画像を取得する画像取得ステップと、
前記対象の静止画像と、該対象の静止画像よりも時間的に前に撮像された第１の静止画像との間の動きベクトルを導出する動きベクトル導出ステップと、
前記対象の静止画像と前記動きベクトルとを対応付けて記録する動きベクトル記録ステップと、
前記対象の静止画像が接合されるべき部分の少なくとも一部分に、前記第１の静止画像よりも時間的に前に撮像された第２の静止画像が存在するか否かを確認する過去画像確認ステップと、
前記対象の静止画像に対応付けられた動きベクトルと、前記第２の静止画像に対応付けられた動きベクトルとのなす角度を算出する角度算出ステップと、
前記過去画像確認ステップにより前記第２の静止画像が前記一部分に存在することが確認された場合において、前記角度算出ステップにより算出された角度が所定の角度以上であったとき、前記対象の静止画像の接合を停止する停止処理ステップと、
前記過去画像確認ステップにより前記第２の静止画像が前記一部分に存在しないことが確認された場合、または、前記角度算出ステップにより算出された角度が所定の角度未満であった場合に、前記対象の静止画像の接合を行う接合処理ステップと
を備える画像接合方法。
【請求項７】
動画像を構成する時間軸上で連続した複数の静止画像を接合することにより接合画像を作成する画像接合方法であって、
前記複数の静止画像を取得する画像取得ステップと、
前記画像取得ステップが取得した複数の静止画像において、対象の静止画像と、該対象の静止画像よりも時間的に前に撮像された第１の静止画像との間の動きベクトルを導出する動きベクトル導出ステップと、
前記対象の静止画像の前記動画像内での時刻を記録する時刻記録ステップと、
前記対象の静止画像が接合されるべき部分の少なくとも一部分に、前記第１の静止画像よりも時間的に前に撮像された第２の静止画像が存在するか否かを確認する過去画像確認ステップと、
前記第２の静止画像の前記動画像内での時刻と、前記対象の静止画像の前記動画像内での時刻との間の時間差を算出する時間算出ステップと、
前記過去画像確認ステップにより前記第２の静止画像が前記一部分に存在することが確認された場合において、前記時間算出ステップにより算出された時間差が所定の時間差以上であったとき、前記対象の静止画像の接合を停止する停止処理ステップと、
前記過去画像確認ステップにより前記第２の静静止画像が前記一部分に存在しないことが確認された場合、または、前記時間算出ステップにより算出された時間差が所定の時間未満であった場合に、前記対象の静止画像の接合を行う接合処理ステップと
を備える画像接合方法。
【請求項８】
動画像を構成する時間軸上で連続した複数の静止画像を接合することにより接合画像を作成する画像接合プログラムであって、コンピュータに、
対象の静止画像を取得する画像取得機能と、
前記対象の静止画像と、該対象の静止画像よりも時間的に前に撮像された第１の静止画像との間の動きベクトルを導出する動きベクトル導出機能と、
前記対象の静止画像と前記動きベクトルとを対応付けて記録する動きベクトル記録機能と、
前記対象の静止画像が接合されるべき部分の少なくとも一部分に、前記第１の静止画像よりも時間的に前に撮像された第２の静止画像が存在するか否かを確認する過去画像確認機能と、
前記対象の静止画像に対応付けられた動きベクトルと、前記第２の静止画像に対応付けられた動きベクトルとのなす角度を算出する角度算出機能と、
前記過去画像確認機能により前記第２の静止画像が前記一部分に存在することが確認された場合において、前記角度算出機能により算出された角度が所定の角度以上であったとき、前記対象の静止画像の接合を停止する停止処理機能と、
前記過去画像確認機能により前記第２の静止画像が前記一部分に存在しないことが確認された場合、または、前記角度算出機能により算出された角度が所定の角度未満であった場合に、前記対象の静止画像の接合を行う接合処理機能と
を実現させる画像接合プログラム。
【請求項９】
動画像を構成する時間軸上で連続した複数の静止画像を接合することにより接合画像を作成する画像接合プログラムであって、コンピュータに、
前記複数の静止画像を取得する画像取得機能と、
前記画像取得機能が取得した複数の静止画像において、対象の静止画像と、該対象の静止画像よりも時間的に前に撮像された第１の静止画像との間の動きベクトルを導出する動きベクトル導出機能と、
前記対象の静止画像の前記動画像内での時刻を記録する時刻記録機能と、
前記対象の静止画像が接合されるべき部分の少なくとも一部分に、前記第１の静止画像よりも時間的に前に撮像された第２の静止画像が存在するか否かを確認する過去画像確認機能と、
前記第２の静止画像の前記動画像内での時刻と、前記対象の静止画像の前記動画像内での時刻との間の時間差を算出する時間算出機能と、
前記過去画像確認機能により前記第２の静止画像が前記一部分に存在することが確認された場合において、前記時間算出機能により算出された時間差が所定の時間差以上であったとき、前記対象の静止画像の接合を停止する停止処理機能と、
前記過去画像確認機能により前記第２の静止画像が前記一部分に存在しないことが確認された場合、または、前記時間算出機能により算出された時間差が所定の時間未満であった場合に、前記対象の静止画像の接合を行う接合処理機能と
を実現させる画像接合プログラム。
【手続補正２】
【補正対象書類名】明細書
【補正対象項目名】００１０
【補正方法】変更
【補正の内容】
【００１０】
本発明の画像接合装置は、動画像を構成する時間軸上で連続した複数の静止画像を接合することにより接合画像を作成する画像接合装置であって、対象の静止画像を取得する画像取得部と、対象の静止画像と、対象の静止画像よりも時間的に前に撮像された第１の静止画像との間の動きベクトルを導出する動きベクトル導出部と、対象の静止画像と動きベクトルとを対応付けて記録する動きベクトル記録部と、対象の静止画像が接合されるべき部分の少なくとも一部分に、第１の静止画像よりも時間的に前に撮像された第２の静止画像が存在するか否かを確認する過去画像確認部と、対象の静止画像に対応付けられた動きベクトルと、第２の静止画像に対応付けられた動きベクトルとのなす角度を算出する角度算出部と、過去画像確認部により過去の静止画像が一部分に存在することが確認された場合において、角度算出部により算出された角度が所定の角度以上であったとき、対象の静止画像の接合を停止する停止処理部と、過去画像確認部により第２の静止画像が一部分に存在しないことが確認された場合、または、角度算出部により算出された角度が所定の角度未満であった場合に、対象の静止画像の接合を行う接合処理部とを備える。
【手続補正３】
【補正対象書類名】明細書
【補正対象項目名】００１１
【補正方法】変更
【補正の内容】
【００１１】
本発明の画像接合装置は、動画像を構成する時間軸上で連続した複数の静止画像を接合することにより接合画像を作成する画像接合装置であって、複数の静止画像を取得する画像取得部と、画像取得部が取得した複数の静止画像において、対象の静止画像と、対象の静止画像よりも時間的に前に撮像された第１の静止画像との間の動きベクトルを導出する動きベクトル導出部と、対象の静止画像の動画像内での時刻を記録する時刻記録部と、対象の静止画像が接合されるべき部分の少なくとも一部分に、第１の静止画像よりも時間的に前に撮像された第２の静止画像が存在するか否かを確認する過去画像確認部と、第２の静止画像の動画像内での時刻と、対象の静止画像の動画像内での時刻との間の時間差を算出する時間算出部と、過去画像確認部により過去の静止画像が一部分に存在することが確認された場合において、時間算出部により算出された時間差が所定の時間差以上であったとき、対象の静止画像の接合を停止する停止処理部と、過去画像確認部により第２の静止画像が一部分に存在しないことが確認された場合、または、時間算出部により算出された時間差が所定の時間未満であった場合に、対象の静止画像の接合を行う接合処理部とを備える。
【手続補正４】
【補正対象書類名】明細書
【補正対象項目名】００１２
【補正方法】変更
【補正の内容】
【００１２】
本発明の画像接合方法は、動画像を構成する時間軸上で連続した複数の静止画像を接合することにより接合画像を作成する画像接合方法であって、対象の静止画像を取得する画像取得ステップと、対象の静止画像と、対象の静止画像よりも時間的に前に撮像された第１の静止画像との間の動きベクトルを導出する動きベクトル導出ステップと、対象の静止画像と動きベクトルとを対応付けて記録する動きベクトル記録ステップと、対象の静止画像が接合されるべき部分の少なくとも一部分に、第１の静止画像よりも時間的に前に撮像された第２の静止画像が存在するか否かを確認する過去画像確認ステップと、対象の静止画像に対応付けられた動きベクトルと、第２の静止画像に対応付けられた動きベクトルとのなす角度を算出する角度算出ステップと、過去画像確認ステップにより過去の静止画像が一部分に存在することが確認された場合において、角度算出ステップにより算出された角度が所定の角度以上であったとき、対象の静止画像の接合を停止する停止処理ステップと、過去画像確認ステップにより第２の静止画像が一部分に存在しないことが確認された場合、または、角度算出ステップにより算出された角度が所定の角度未満であった場合に、対象の静止画像の接合を行う接合処理ステップとを備えることを特徴とする。
【手続補正５】
【補正対象書類名】明細書
【補正対象項目名】００１３
【補正方法】変更
【補正の内容】
【００１３】
本発明の画像接合方法は、動画像を構成する時間軸上で連続した複数の静止画像を接合することにより接合画像を作成する画像接合方法であって、複数の静止画像を取得する画像取得ステップと、画像取得ステップが取得した複数の静止画像において、対象の静止画像と、対象の静止画像よりも時間的に前に撮像された第１の静止画像との間の動きベクトルを導出する動きベクトル導出ステップと、対象の静止画像の動画像内での時刻を記録する時刻記録ステップと、対象の静止画像が接合されるべき部分の少なくとも一部分に、第１の静止画像よりも時間的に前に撮像された第２の静止画像が存在するか否かを確認する過去画像確認ステップと、第２の静止画像の動画像内での時刻と、対象の静止画の動画像内での時刻との間の時間差を算出する時間算出ステップと、過去画像確認ステップにより過去の静止画像が一部分に存在することが確認された場合において、時間算出ステップにより算出された時間差が所定の時間差以上であったとき、対象の静止画像の接合を停止する停止処理ステップと、過去画像確認ステップにより第２の静止画像が一部分に存在しないことが確認された場合、または、時間算出ステップにより算出された時間差が所定の時間未満であった場合に、対象の静止画像の接合を行う接合処理ステップとを備えることを特徴とする。
【手続補正６】
【補正対象書類名】明細書
【補正対象項目名】００１４
【補正方法】変更
【補正の内容】
【００１４】
本発明の画像接合プログラムは、動画像を構成する時間軸上で連続した複数の静止画像を接合することにより接合画像を作成する画像接合プログラムであって、コンピュータに、対象の静止画像を取得する画像取得機能と、対象の静止画像と、対象の静止画像よりも時間的に前に撮像された第１の静止画像との間の動きベクトルを導出する動きベクトル導出機能と、対象の静止画像と動きベクトルとを対応付けて記録する動きベクトル記録機能と、対象の静止画像が接合されるべき部分の少なくとも一部分に、第１の静止画像よりも時間的に前に撮像された第２の静止画像が存在するか否かを確認する過去画像確認機能と、対象の静止画像に対応付けられた動きベクトルと、第２の静止画像に対応付けられた動きベクトルとのなす角度を算出する角度算出機能と、過去画像確認機能により過去の静止画像が一部分に存在することが確認された場合において、角度算出機能により算出された角度が所定の角度以上であったとき、対象の静止画像の接合を停止する停止処理機能と、過去画像確認機能により第２の静止画像が一部分に存在しないことが確認された場合、または、角度算出機能により算出された角度が所定の角度未満であった場合に、対象の静止画像の接合を行う接合処理機能とを実現させることを特徴とする。
【手続補正７】
【補正対象書類名】明細書
【補正対象項目名】００１５
【補正方法】変更
【補正の内容】
【００１５】
本発明の画像接合プログラムは、動画像を構成する時間軸上で連続した複数の静止画像を接合することにより接合画像を作成する画像接合プログラムであって、コンピュータに、複数の静止画像を取得する画像取得機能と、画像取得機能が取得した複数の静止画像において、対象の静止画像と、対象の静止画像よりも時間的に前に撮像された第１の静止画像との間の動きベクトルを導出する動きベクトル導出機能と、対象の静止画像の動画像内での時刻を記録する時刻記録機能と、対象の静止画像が接合されるべき部分の少なくとも一部分に、第１の静止画像よりも時間的に前に撮像された第２の静止画像が存在するか否かを確認する過去画像確認機能と、第２の静止画像の動画像内での時刻と、対象の静止画像の動画像内での時刻との間の時間差を算出する時間算出機能と、過去画像確認機能により過去の静止画像が一部分に存在することが確認された場合において、時間算出機能により算出された時間差が所定の時間差以上であったとき、対象の静止画像の接合を停止する停止処理機能と、過去画像確認機能により第２の静止画像が一部分に存在しないことが確認された場合、または、時間算出機能により算出された時間差が所定の時間未満であった場合に、対象の静止画像の接合を行う接合処理機能とを実現させることを特徴とする。
【手続補正８】
【補正対象書類名】明細書
【補正対象項目名】００６２
【補正方法】変更
【補正の内容】
【００６２】
第２の実施形態に従う画像接合方法は、図８に示すように、動画像を構成する時間軸上で連続した複数の静止画像を接合することにより接合画像を作成する画像接合方法であって、画像取得ステップ（Ｓ２１０）と、動きベクトル導出ステップ（Ｓ２２０）と、過去画像確認ステップ（Ｓ２３０）と、時間算出ステップ（Ｓ２４０）と、停止処理ステップ（Ｓ２５０）と、接合処理ステップ（Ｓ２６０）と、時刻記録ステップ（Ｓ２７０）とを備えることを特徴とする。
【手続補正９】
【補正対象書類名】明細書
【補正対象項目名】００７１
【補正方法】変更
【補正の内容】
【００７１】
第２の実施形態に従う画像接合プログラムは、動画像を構成する時間軸上で連続した複数の静止画像を接合することにより接合画像を作成する画像接合プログラムであって、コンピュータに、画像取得機能と、動きベクトル導出機能と、時刻記録機能と、過去画像確認機能と、時間算出機能と、停止処理機能と、接合処理機能とを実現させることを特徴とする。
【手続補正１０】
【補正対象書類名】明細書
【補正対象項目名】００７４
【補正方法】変更
【補正の内容】
【００７４】
上記時刻記録機能は、対象の静止画像の動画像内での時刻を記録する。この機能は、上述した時刻記録部２３０により実現されることができる。